(57)【要約】 【課題】  防水機能を有する時計用のプッシュ・ボタン制御装置を提供する。【解決手段】  本発明の時計用のプッシュ・ボタン制御装置は、プッシュ・ボタン・ヘッドと，防水性シール手段とを有する。前記プッシュ・ボタン・ヘッドは，時計ケースに取り付けられたプッシュ・ボタン・ステムに固定される。前記プッシュ・ボタン・ステムは，静止位置と駆動位置との間を復帰部材に抗して軸方向に移動し，前記時計の少なくとも一つの機能を制御する。前記防水性シール手段は，フレキシブルの防水材料製のキャップを有する。前記キャップは、前記プッシュ・ボタン・ヘッドを覆い，時計のケースに取り付けられる。【選択図】  図３
2009133859.tif 000002
【特許請求の範囲】
【請求項１】
時計用のプッシュ・ボタン制御装置において，
プッシュ・ボタン・ヘッドと，
防水性シール手段と
を有し，
前記プッシュ・ボタン・ヘッドは，時計ケースに取り付けられたプッシュ・ボタン・ステムに固定され，
前記プッシュ・ボタン・ステムは，静止位置と駆動位置との間を復帰部材に抗して軸方向に移動し，前記時計の少なくとも一つの機能を制御し，
前記防水性シール手段は，フレキシブルな防水材料製のキャップを有し，
前記キャップは、前記プッシュ・ボタン・ヘッドを覆い，時計のケースに取り付けられる
ことを特徴とする時計用のプッシュ・ボタン制御装置。
【請求項２】
前記プッシュ・ボタン・ステムは、前記ケースに取り付けられたガイド・チューブを貫通して前記ケースから突出し，
前記キャップは、前記プッシュ・ボタン・ヘッドとガイド・チューブから突出した部分とを包囲し覆う
ことを特徴とする請求項１記載のプッシュ・ボタン制御装置。
【請求項３】
前記キャップは、その開口領域に，カラーを有し，
前記カラーを介して、前記キャップは、前記時計のケースに当たる
ことを特徴とする請求項１または２記載のプッシュ・ボタン制御装置。
【請求項４】
前記キャップは、円筒形状の本体を有し，
前記カラーは、前記円筒形状の本体の軸に直交する面に伸びる
ことを特徴とする請求項３記載のプッシュ・ボタン制御装置。
【請求項５】
前記カラーは、前記キャップの軸方向で環状リップの形状で伸び，
前記環状リップは、キャップの本体と整合して伸びる
ことを特徴とする請求項４記載のプッシュ・ボタン制御装置。
【請求項６】
前記キャップは、前記ケースに、周辺カラーを介して，時計のケースに直接搭載されるラグの手段により、圧縮して保持される
ことを特徴とする請求項３−５のいずれかに記載のプッシュ・ボタン制御装置。
【請求項７】
前記固定リングは、通路と少なくとも一個のラグとを有し，
前記通路を介して、キャップが突出する
ことを特徴とする請求項６記載のプッシュ・ボタン制御装置。
【請求項８】
前記固定リングは、直径方向に対向した２個のラグを有する
ことを特徴とする請求項７記載のプッシュ・ボタン制御装置。
【請求項９】
前記固定リングは，内側肩部を具備し、
前記内側肩部は、前記カラーを収納するハウジングを形成する
ことを特徴とする請求項７または８記載のプッシュ・ボタン制御装置。
【請求項１０】
前記ラグの一方または両方は、直接ケースにねじ込まれる
ことを特徴とする請求項７−９のいずれかに記載のプッシュ・ボタン制御装置。
【請求項１１】
前記キャップは、ゴム製またはシリコン製である
ことを特徴とする請求項１−１０のいずれかに記載のプッシュ・ボタン制御装置。
【発明の詳細な説明】
【技術分野】
【０００１】
本発明は，時計の製造に関し，特に，防水機能を有する時計用のプッシュ・ボタン制御装置に関する。
【背景技術】
【０００２】
プッシュ・ボタン装置は時計の様々な機能を制御する。クロノグラフ時計（ストップウォッチ機能付き時計）のストップウォッチ開始機能，停止機能，リセット機能は、プッシュ・ボタン装置により制御される。このプッシュ・ボタン装置は時計ケースの中間部品に搭載される。
【０００３】
従来のプッシュ・ボタン制御装置は、プッシュ・ボタン用の管を有する。この管は、時計の中間部品の開口に固定される。プッシュ・ボタン・ステムは，プッシュ・ボタン・ヘッドに取り付けられ，その管の中に配置される。その結果、プッシュ・ボタン・ステムは、その管の中を静止位置と駆動位置との間を、復帰スプリングの力に抗して軸方向にスライドできる。中間部品に面するプッシュ・ボタン・ヘッドの表面は，スカートを規定する管状のリセスを有する。このスカートが中央の円筒状部分を包囲する。このスカートにステムが取り付けられる。リセスの幅は，その中をスライドするプッシュ・ボタン・ヘッドの先端を収納できる程度の大きさである。管をシールする防水用Ｏ−リングであるシール用ガスケットが、ステムと管との間でプッシュ・ボタン・ヘッドの側に配置される。この種のプッシュ・ボタン装置は、時計の装着者により，駆動され，時計の機能に関連した指示を実行する。この種の装置は特許文献１に開示されている。
【０００４】
【特許文献１】スイス特許第４５７２９１号明細書
【特許文献２】スイス特許第５６０９２３号明細書
【特許文献３】スイス特許第６７６１８６号明細書
【０００５】
この種のプッシュ・ボタンの防水性能は、ダイバーズ・ウォッチの機能を完全には満足できるない。実際に深く潜った場合には，Ｏ−リングのガスケットは、数十気圧の圧力にさらされ，必要とされる防水レベルに耐えられない。
【０００６】
防水の保障レベルをあげるためには，より大きなシール用ガスケットを装置内に挿入する事である。しかし，大きなガスケットあるいは複数個のガスケットをこの種の構造体に挿入すると，ガスケットとガイド管との間の摩擦力が増加し，ステムがその静止位置に戻れなくなることがある。摩擦力が、プッシュ・ボタン・ヘッドの圧力により増加するからである。
【０００７】
この種の欠点を解決するために，特許文献２はケースの外側に配置された管の一部を大きくしている。その結果，プッシュ・ボタン・ヘッドは一部がその中に収納され，ベル形状の弾性膜を具備した管から一部突起するプッシュ・ボタン・ヘッドをカバーする。この種の管は中央部分を有する。その中央部分の両側に，先端部分と根元部分とが伸びて，その両部分が中央部分の直径よりも小さな直径を有し，これにより先端肩部表面と根元部肩部表面を形成する。この根元部分にネジが切られて、中間部品のボア（穴）内にねじ込まれる。その結果，シール用ガスケットが中間部品の外部表面と根元部の肩部表面に挿入される。中央部分にもネジが切られるが，先端部分は平滑である。弾性膜は中央部分を有する。この中央部分から管状の壁が伸びて，管状の側面ストリップの形状を有する周辺エッジの形態で伸びる。側面ストリップの高さは，その幅よりも大きい。エッジが先端肩部表面と，リングの内側肩部表面との間で圧縮される。このリングは管の中央部分上にねじ込まれる。この膜の中央部分は自由に動け，その結果プッシュ・ボタン・ヘッドを活性化できる。
【０００８】
この構造にも欠点がある。この構造は従来のプッシュ・ボタン（即ちスムーズに曲げられた管の周囲でスライドするヘッドを具備するプッシュ・ボタン）と共に使用することができない。その理由は，管は、リングがそこに固定するように構成されていないからである。それ故に，この解決方法は経済的ではない。所定の膜の周囲エッジの形状では、リングが管に強固に固定され過ぎると，この構造は、エッジを曲げて、所望の防水性が得られなくなってしまう。
【０００９】
特許文献３は、プッシュ・ボタンを２個有し，中間部品とペゼルとの間に配置された周囲のフレキシブルな合成のリングで包囲される時計ケースを開示する。このリングはプッシュ・ボタンをカバーするが，ゴムの柔軟性によりプッシュ・ボタンが動作可能である。このリングはまた衝撃から時計を守り，プッシュ・ボタンの防水性も保障する。
【００１０】
この特許文献３は、プッシュ・ボタンを見えなくしている。しかし，リングを交換する場合には，時計のケース全体を分解するため，時計の修理業者に依頼しなければならない。さらにリング全体を交換することは，経済的ではない。
【発明の開示】
【発明が解決しようとする課題】
【００１１】
本発明の目的は上記の欠点を解決することである。本発明は簡単で経済的な構造で且つ深水用でも防水性を向上させるプッシュ・ボタン制御装置を提供することである。
【００１２】
本発明の目的は，市場にある従来のプッシュ・ボタンを利用する高い防水機能を有するプッシュ・ボタン制御装置を提供することである。
【００１３】
本発明の目的は，新規で且つ魅力ある審美性を有するプッシュ・ボタン制御装置を提供することである。
【課題を解決するための手段】
【００１４】
本発明のプッシュ・ボタン制御装置は請求項１に記載された通りである。
【実施例】
【００１５】
図１，２において、腕時計のケース１は、複数のプッシュ・ボタン制御装置４を搭載する。この実施例では３個のプッシュ・ボタン制御装置４を搭載する。ケース１は，従来と同様，バック・カバー６と中間部品８とベゼル１０を有し，ガラス１２で封止されている。かくしてケース１が、時計のムーブメント（図示せず）用のハウジングを形成する。このケース１は、プッシュ・ボタン制御装置４により駆動される機能に関連する様々な機構を有する。
【００１６】
図３において、各プッシュ・ボタン制御装置４は、プッシュ・ボタン・ステム１６に固定されたプッシュ・ボタン・ヘッド１４を有する。このプッシュ・ボタン・ステム１６は、ガイド・チューブ１８を貫通し中間部品８から突出する。通常ガイド・チューブ１８は、肩部を有し，中間部品８内のボア８ａ内に直接挿入される。別の構成として，ガイド・チューブ１８は、中間部品８上にねじ込まれ、シール用ガスケットが、ガイド・チューブ１８の肩部表面と中間部品８との間に挿入される。この実施例では，中間部品８は環状リセス８ｂを有する。この環状リセス８ｂは、ボア８ａの周囲に伸びて，防水機能を有するシール手段の一部を収納する。これに関しては以下説明する。
【００１７】
図３において，プッシュ・ボタン・ヘッド１４は、ガイド・チューブ１８を、プッシュ・ボタン・ヘッド１４のスカート２０を介して、部分的に包囲する。このスカート２０は、チューブ１８の上端に適合する。プッシュ・ボタン・ヘッド１４は、中央に円筒状コアを有する。この円筒状コアが軸方向に伸びてプッシュ・ボタン・ステム１６を形成する。シーリング用ガスケット２２は、ガイド・チューブ１８とプッシュ・ボタン・ステム１６との間に配置され、ワッシャ２２ａによりその場に保持される。プッシュ・ボタン制御装置４は、復帰スプリング２４を具備する。この復帰スプリング２４は、ワッシャ２２ａとプッシュ・ボタン・ヘッド１４との間に配置され、プッシュ・ボタン・ヘッド１４を外方向に押し戻す。かくしてプッシュ・ボタン・ステム１６は、静止位置と動作位置との間を復帰スプリング２４に抗して軸方向に動き，その自由端により時計のムーブメントの一つの機能を制御する。プッシュ・ボタン・ヘッド１４が一回押されると，これにより復帰スプリング２４を圧縮し，スカート２０がハウジングである環状リセス８ｂを貫通する。この環状リセス８ｂは、中間部品８に形成されている。プッシュ・ボタン・ヘッド１４は、ガイド・チューブ１８に、プッシュ・ボタン・ステム１６の端部に固定されるネジ部材１６ａの手段により保持される。
【００１８】
プッシュ・ボタン制御装置４は、更にシーリング手段２６を有する。これにより時計のケースを防水性にしている。
【００１９】
シーリング手段２６はキャップ２８を有する。このキャップ２８はフレキシブルな防水性材料から形成され，プッシュ・ボタン・ヘッド１４をカバーし時計に固定される。通常キャップ２８はゴム製であるが，他のフレキシブルな防水材料，例えばシリコンでもよく，また同様な特性を有する２種類の材料からの合成材料でもよい。
【００２０】
キャップ２８は、円筒形状の本体２８ａとその開口領域内に周辺カラー２８ｂとを有する。この周辺カラー２８ｂは、シリンダー手段２６の軸に直交する面内に伸びる。この実施例では、周辺カラー２８ｂは、キャップ２８の軸方向に伸びる環状リップ２８ｃを有する。この環状リップ２８ｃは、本体２８ａと整合して伸びる。環状リップ２８ｃの直径は、環状リセス８ｂの直径に等しい。環状リップ２８ｃのキャップ２８の軸に沿った長さは、環状リセス８ｂの深さよりも大きい。他の実施例（図示せず）においては、環状リップ２８ｃを省くこともできる。
【００２１】
キャップ２８は、プッシュ・ボタン・ヘッド１４と中間部品から突出したガイド・チューブ１８の一部を包囲し完全にカバーする大きさである。かくしてキャップ２８は、プッシュ・ボタン・ヘッド１４とチューブ１８を包囲し，周辺カラー２８ｂを介して中間部品８に当たり，プッシュ・ボタン制御装置４を防水しながらシールする。より具体的には、図３に示すように，キャップ２８は、中間部品８に当たって配置され，その結果、環状リップ２８ｃは、中間部品８ｃ内に収納され適合する。かくして環状リップ２８ｃは、リセスの底部に当たって若干圧縮して保持される。この為、本発明の装置は、固定リング３０を有する。この固定リング３０は、中間部品８に直接固定されて，キャップの周辺カラー２８ｂを中間部品に当てて圧縮する。固定リング３０は円筒状通路３０ａと少なくとも一個のラグ３０ｂとを有する。この円筒状通路３０ａを介してキャップが突出する。ラグ３０ｂは、通路３０ｃを具備する。この通路３０は、中間部品８に直接ねじ込まれる固定ネジ部材３２用である。通路３０ａの寸法は，通路の内側壁とキャップの本体の外側壁との間に十分な遊びがあり，本体がプッシュ・ボタン・ヘッドが押された時に横方向に変形できる程度である。ここに示した実施例においては，各プッシュ・ボタン制御装置４の固定リング３０は，直径方向に向かい合った２個のラグ３０ｂを有する。この２個のラグ３０ｂは、中間部品８の円周方向に沿って整合している。ここに示した実施例では，固定リング３０は、内側肩部３０ｄを具備する。この内側肩部３０ｄが周辺カラー２８ｂを収納するハウジングを形成する。ハウジングの軸方向の深さは、カラーの厚さよりも若干小さく，その結果カラーは、固定ネジ部材３２が中間部品８に固定された時に、圧縮される。
【００２２】
以上の説明は，本発明の一実施例に関するもので，この技術分野の当業者であれば，本発明の種々の変形例を考え得るが，それらはいずれも本発明の技術的範囲に包含される。特許請求の範囲の構成要素の後に記載した括弧内の番号は，図面の部品番号に対応し，発明の容易なる理解の為に付したものであり，発明を限定的に解釈するために用いてはならない。また，同一番号でも明細書と特許請求の範囲の部品名は必ずしも同一ではない。これは上記した理由による。
【図面の簡単な説明】
【００２３】
【図１】本発明の複数のプッシュ・ボタン制御装置を搭載したケースを有する時計の斜視図。
【図２】本発明のプッシュ・ボタン制御装置で部品を一部取り外した状態を表す斜視図。
【図３】本発明のプッシュ・ボタン制御装置を有する時計のケースの平面に沿った部分断面図。
【符号の説明】
【００２４】
１    腕時計ケース
４    プッシュ・ボタン制御装置
６    バック・カバー
８    中間部品
８ａ  ボア
８ｂ  環状リセス
１０  ベゼル
１２  ガラス
１４  プッシュ・ボタン・ヘッド
１６  プッシュ・ボタン・ステム
１８  ガイド・チューブ
２０  スカート
２２  シーリング用ガスケット
２２ａ  ワッシャ
２４  復帰スプリング
２６  シーリング手段
２８  キャップ
２８ａ  本体
２８ｂ  周辺カラー
２８ｃ  環状リップ
３０    固定リング
３２    ネジ部材
３０ａ  通路
３０ｂ  ラグ
３０ｃ  通路
３０ｄ  内側肩部
３２    固定ネジ部材
【図１】
2009133859.tif 000003
【図２】
2009133859.tif 000004
【図３】
2009133859.tif 000005
【外国語明細書】
2009133859000001.pdf